(57)【要約】【課題】吸収層の厚み方向の上側よりも下側における拡散をより促進し、吸収性物品の肌当接面側における濡れ面積が減らす。【解決手段】本発明に係る吸収性物品は、吸収層７の裏面シート３側において、圧縮加工によって圧縮領域５が形成されており、吸収層７の表面シート２側において、圧縮領域５に対向する領域内に、圧搾加工によって複数の圧搾溝６が形成されている。【選択図】図２
2011177306.tif 000002
【特許請求の範囲】
【請求項１】
液透過性の表面シートと、液不透過性の裏面シートと、該表面シートと該裏面シートとの間に配置された吸収層とを有する吸収性物品であって、
前記吸収層の前記裏面シート側において、圧縮加工によって圧縮領域が形成されており、
前記吸収層の前記表面シート側において、前記圧縮領域に対向する領域内に、圧搾加工によって複数の圧搾溝が形成されていることを特徴とする吸収性物品。
【請求項２】
前記圧搾溝の底面は、前記圧縮領域の底面よりも前記裏面シート側に配置されていることを特徴とする請求項１に記載の吸収性物品。
【請求項３】
前記圧縮領域が形成された後に、前記圧搾溝が形成されたことを特徴とする請求項１に記載の吸収性物品。
【請求項４】
前記圧縮領域の外側に、該圧縮領域の外周に沿って、圧縮加工が施されていない非圧縮領域が設けられていることを特徴とする請求項１に記載の吸収性物品。
【請求項５】
前記圧縮領域の外縁近傍に、外縁部が形成されており、
前記外縁部の底面は、前記圧縮領域の底面よりも前記表面シート側に配置されていることを特徴とする請求項４に記載の吸収性物品。
【請求項６】
前記圧縮領域の底面は、該圧縮領域の外縁に向かうに連れて、前記表面シートに近づくように形成されていることを特徴とする請求項１に記載の吸収性物品。
【請求項７】
液透過性の表面シートと、液不透過性の裏面シートと、該表面シートと該裏面シートとの間に配置された吸収層とを有する吸収性物品の製造方法であって、
前記吸収性物品の前記裏面シート側から圧縮加工を施すことによって、前記吸収層において圧縮領域を形成する工程と、
前記吸収性物品の前記表面シート側から圧搾加工を施すことによって、前記吸収層において前記圧縮領域に対向する領域内に、複数の圧搾溝を形成する工程とを有することを特徴とする吸収性物品の製造方法。
【発明の詳細な説明】
【技術分野】
【０００１】
本発明は、吸収性物品及び吸収性物品の製造方法に関する。
【背景技術】
【０００２】
従来、吸収性物品において、体液を吸収層内全体に拡散させる能力（拡散性）を高めるために、表面シート及び吸収層に対して圧搾加工（エンボス加工）を施すことによって、任意の形状の圧搾領域を形成する技術が知られている。
【０００３】
例えば、吸収性物品の表面シート側からエンボス加工を施して表面エンボスを形成した後に、かかる表面エンボスが形成された領域内の吸収層に対して、吸収性物品の表面シート側からエンボス加工を施して吸収体エンボスを形成する技術が知られている（例えば、特許文献１参照）。
【０００４】
かかる技術によれば、表面エンボスに流入した体液を、かかる表面エンボスの側面部から吸収させ、迅速かつ効果的に吸収体エンボスに移行させ、吸収体エンボスに沿って拡散させることができる。
【先行技術文献】
【特許文献】
【０００５】
【特許文献１】特開２００５-１６０７０２号公報
【発明の概要】
【発明が解決しようとする課題】
【０００６】
しかしながら、出願人は、上述の技術のように、吸収体エンボスが、吸収性物品の表面シート側からエンボス加工を施すことによって形成されている場合には、吸収層の厚み方向の上側における繊維密度が、吸収層の厚み方向の下側における繊維密度よりも高く、吸収層の厚み方向の下側よりも上側で拡散がより促進され、吸収性物品の肌当接面側における濡れ面積が増大してしまうという問題点があることを発見した。
【０００７】
そこで、本発明は、上述の課題に鑑みてなされたものであり、吸収層の厚み方向の上側よりも下側における拡散をより促進し、吸収性物品の肌当接面側における濡れ面積が減らすことができる吸収性物品及び吸収性物品の製造方法を提供することを目的とする。
【課題を解決するための手段】
【０００８】
本発明の第１の特徴は、液透過性の表面シートと、液不透過性の裏面シートと、該表面シートと該裏面シートとの間に配置された吸収層とを有する吸収性物品であって、前記吸収層の前記裏面シート側において、圧縮加工によって形成された圧縮領域が設けられており、前記吸収層の前記表面シート側において、前記圧縮領域に対向する領域内に、圧搾加工によって形成された複数の圧搾溝が設けられていることを要旨とする。
【０００９】
本発明の第２の特徴は、液透過性の表面シートと、液不透過性の裏面シートと、該表面シートと該裏面シートとの間に配置された吸収層とを有する吸収性物品の製造方法であって、前記吸収性物品の前記裏面シート側から圧縮加工を施すことによって、前記吸収層において圧縮領域を形成する工程と、前記吸収性物品の前記表面シート側から圧搾加工を施すことによって、前記吸収層において前記圧縮領域に対向する領域内に、複数の圧搾溝を形成する工程とを有することを要旨とする。
【発明の効果】
【００１０】
以上説明したように、本発明によれば、吸収層の厚み方向の上側よりも下側における拡散をより促進し、吸収性物品の肌当接面側における濡れ面積を減らすことができる吸収性物品及び吸収性物品の製造方法を提供することができる。
【図面の簡単な説明】
【００１１】
【図１】本発明の第１の実施形態に係る吸収性物品の表面シート側から見た平面図である。
【図２】本発明の第１の実施形態に係る吸収性物品のＸ-Ｘ’断面図である。
【図３】本発明の第１の実施形態に係る吸収性物品の表面シート側から見た平面図である。
【図４】本発明の第１の実施形態に係る吸収性物品の製造方法を説明するためのフローチャートである。
【図５】本発明の変更例１に係る吸収性物品の表面シート側から見た平面図である。
【図６】本発明の変更例１に係る吸収性物品のＹ-Ｙ’断面図である。
【図７】本発明の変更例２に係る吸収性物品のＸ-Ｘ’断面図である。
【図８】本発明の変更例３に係る吸収性物品のＸ-Ｘ’断面図である。
【発明を実施するための形態】
【００１２】
（本発明の第１の実施形態）
図１及び図２を参照して、本発明の第１の実施形態に係る吸収性物品１について説明する。例えば、本実施形態に係る吸収性物品１は、紙おむつや失禁パッドや生理用ナプキン等である。
【００１３】
本実施形態の吸収性物品１は、図１及び図２に示すように、実質的に縦長の形状をしており、表面シート２と、裏面シート３と、吸収層７とを具備している。
【００１４】
表面シート２は、吸収性物品１の着用者の肌当接面側に設けられている液透過性のシートであり、例えば、エアースルー不織布やスパンボンド不織布や親水剤が付与された開孔フィルムやこれらの組み合わせによって構成されている。
【００１５】
裏面シート３は、吸収性物品１の着用者の衣類当接面側に設けられている液不透過性の樹脂シートによって構成されており、例えば、目付１５〜４０ｇ/ｍ２の低密度ポリエチレン（ＬＤＰＥ）からなる不透液性フィルム等によって構成されている。
【００１６】
吸収層７は、尿や経血等の体液を吸収するように構成されており、例えば、フラッフパルプと高吸収性ポリマー（ＳＡＰ）との混合堆積物を液拡散性シート９で挟み込むことにより構成されている。
【００１７】
すなわち、吸収層７は、薄葉紙等によって構成されている液拡散性シート９の上層と下層との間において、粉砕されたフラッフパルプ７に高吸収性ポリマー８を介在させ、液拡散性シート９の上層及び下層を端部において接合して封止することによって形成されている。
【００１８】
また、液拡散性シート９に代えて、エアスルー不織布やスパンポンド不織布等の液透過性シートを使うこともできる。
【００１９】
ここで、フラッフパルプの坪量は、着用者が快適な装着感が得られると想定される１００〜５５０ｇ/ｍ２であってもよいし、他の坪量であってもよい。
【００２０】
また、高吸収性ポリマーは、吸収層７の全体に渡ってほぼ均一に散在しており、高吸収性ポリマーの坪量は、０〜４００ｇ/ｍ２であってもよいし、他の坪量であってもよい。さらに、高吸収性ポリマーは、フラッフパルプと均一に混合され、吸収層７におけるポリマー比率は、高吸収性ポリマーの固まりができにくい４５％程度に抑えられていてもよい。なお、高吸収性ポリマーは、公知の吸収性樹脂粉末等によって構成されている。
【００２１】
また、フラップパルプと高吸収性ポリマーとを均一に混合する代わりに、高吸収性ポリマーの層をフラップパルプの層で挟み込むよう構成を用いてもよい。
【００２２】
上述の吸収性物品１の各構成部材は、通常公知のホットメルト接着剤による接着や、熱又は超音波による溶着等の適宜の接合方法によって接合され得る。また、表面シート２や吸収層７や裏面シート３によって構成されている吸収性物品１の本体部の左右両側にそれぞれサイドギャザーが配置されていてもよい。
【００２３】
また、吸収層７の裏面シート３側において、圧縮加工によって圧縮領域５（すなわち、凹部）が形成されている。ここで、圧縮領域５の表面は、平らであってもよいし、任意の形状のエンボスが設けられていてもよい。
【００２４】
また、圧縮領域５は、図１に示すように、吸収層７の裏面シート３側の面のほぼ全体に渡って形成されていてもよい。
【００２５】
また、吸収層７の表面シート２側において、圧縮領域５に対向する領域内に、圧搾加工によって複数の圧搾溝６（すなわち、エンボス）が形成されている。かかる圧搾溝６は、任意の形状のエンボスであってもよい。
【００２６】
ここで、図３に示すように、圧縮領域５に対向する領域内に円形形状や楕円形状や多角形形状等の閉じられた形状を有している圧縮溝６が形成されている場合等、図１に示すように、吸収性物品１の幅方向の断面視において圧縮領域５に対向する領域内に複数の圧搾溝６が形成されている場合は、「圧縮領域５に対向する領域内に複数の圧搾溝６が形成されている」ものとする。
【００２７】
本実施形態に係る吸収性物品１では、図１に示すように、複数の圧搾溝６の全てが、圧縮領域５に対向する領域内に設けられている。
【００２８】
本実施形態に係る吸収性物品１では、圧搾溝６の底面６Ａは、図２に示すように、圧縮領域５の底面５Ａよりも裏面シート３側に配置されている。すなわち、本実施形態に係る吸収性物品１では、圧搾溝６の底面６Ａは、圧縮領域５の底面５Ａを裏面シート３側に突き抜けるように形成されている。このような構成とすると、圧縮溝６を深くできるので、一時的に体液を貯めることができる。
【００２９】
また、本実施形態に係る吸収性物品１では、圧縮領域５の底面５Ａは、圧縮領域５の外縁に向かうに連れて、表面シート２に近づくように形成されていてもよい。このような構成とすると、圧縮領域５の外縁に向かうに連れて、吸収層７の繊維密度が高まるので、体液を吸収性物品１の幅方向に導きやすくなる。
【００３０】
さらに、本実施形態に係る吸収性物品１では、図２に示すように、吸収層７の厚み方向に繊維密度の勾配が形成されており、吸収層７の厚み方向の表面シート２側領域Ａの繊維密度は、吸収層７の厚み方向の裏面シート３側領域Ｂの繊維密度よりも小さくなっていてもよい。
【００３１】
また、本実施形態に係る吸収性物品１では、図２に示すように、圧搾溝６の底面６Ａの繊維密度は、吸収層７の厚み方向の表面シート２側領域Ａの繊維密度及び吸収層７の厚み方向の裏面シート３側領域Ｂの繊維密度よりも大きくなっていてもよい。
【００３２】
また、本実施形態に係る吸収性物品１では、図１及び図２に示すように、圧縮領域５の外側に、圧縮領域５の外周に沿って、圧縮加工が施されていない非圧縮領域１０が設けられていてもよい。
【００３３】
次に、図４を参照して、本実施形態に係る吸収性物品１の製造方法の一部について説明する。以下、本実施形態に係る吸収性物品１の製造方法において、上述の圧縮領域５及び圧搾溝６を生成する方法に着目して説明する。なお、その他の方法については、既存の方法を用いることができる。
【００３４】
図４に示すように、ステップＳ１０１において、吸収性物品１の裏面シート３側から圧縮加工を施すことによって、吸収層７において圧縮領域５を形成する。
【００３５】
ステップＳ１０２において、吸収層７に、肌当接面側から表面シート２を重ね、吸収性物品１の表面シート２側から圧搾加工を施すことによって、吸収層７において圧縮領域５に対向する領域内に、複数の圧搾溝６を形成する。
【００３６】
その後、吸収層７の表面シート２側と反対の側に、裏面シート３を積層させ、表面シート２の周縁部と裏面シート３の周縁部を接合させる。
【００３７】
以下、（表１）を参照して、以下の吸収性物品を用いた評価試験の結果について説明する。
（実施例１）４００ｇ/ｍ２のフラップパルプのみからなる吸収層７が用いられている本実施形態に係る吸収性物品（大きさは、１５０ｍｍ×１５０ｍｍ）
（比較例１）４００ｇ/ｍ２のフラップパルプのみからなる吸収層７が用いられており、吸収層７の表面シート２側において圧縮領域５が形成された後に、吸収層７の表面シート２側において複数の圧搾溝６が形成された吸収性物品（大きさは、１５０ｍｍ×１５０ｍｍ）
（実施例２）４００ｇ/ｍ２のフラップパルプ及び２６６ｇ/ｍ２の高吸収性ポリマーからなる吸収層７が用いられている本実施形態に係る吸収性物品（大きさは、１５０ｍｍ×１５０ｍｍ）
（比較例２）４００ｇ/ｍ２のフラップパルプ及び２６６ｇ/ｍ２の高吸収性ポリマーからなる吸収層７が用いられており、吸収層７の表面シート２側において圧縮領域５が形成された後に、吸収層７の表面シート２側において複数の圧搾溝６が形成された吸収性物品（大きさは、１５０ｍｍ×１５０ｍｍ）
かかる評価試験では、各吸収性物品に対して人工体液（人工尿）を滴下し、各吸収性物品の表面シート２側における人工体液の拡散面積を測定した。なお、かかる人工体液としては、尿素２質量％、塩化ナトリウム０.８質量％、硫酸マグネシウム７水和物０.０８質量％、塩化カルシウム２水和物０.０３質量％の水溶液を用いた。
【００３８】
【表１】
2011177306.tif 000003
【００３９】
ここで、（表１）から分かるように、（比較例１）及び（比較例２）における吸収層７の表面シート２側における人工体液の拡散面積は、それぞれ（実施例１）及び（実施例２）における吸収層７の表面シート２側における人工体液の拡散面積の１.５倍及び１.８倍となっている。
【００４０】
したがって、（比較例１）及び（比較例２）で用いられた吸収性物品の方が、（実施例１）及び（実施例２）で用いられた吸収性物品、すなわち、本実施形態に係る吸収性物品１よりも、吸収層７の表面シート２側における人工体液の拡散面積が大きいので、本実施形態に係る吸収性物品１の方が、（比較例１）及び（比較例２）で用いられた吸収性物品よりも、体液吸収後の肌の不快感を軽減することができる。
【００４１】
すなわち、本実施形態に係る吸収性物品１によれば、吸収層７の裏面シート３側において圧縮領域５を形成した後に、吸収層７の表面シート２側において圧搾溝６を形成しているため、吸収層７の厚み方向の裏面シート３側領域Ｂにおける繊維密度を吸収層７の厚み方向の表面シート２側領域Ａにおける繊維密度よりも高くすることができ、吸収層７の厚み方向の表面シート２側領域Ａよりも吸収層７の厚み方向の裏面シート３側領域Ｂにおける拡散をより促進することができ、吸収性物品１の肌当接面側における濡れ面積を減少することができる。
【００４２】
また、本実施形態に係る吸収性物品１によれば、１層の吸収層７の厚み方向において繊維密度の勾配を形成することができるため、異なる繊維密度の複数の吸収層を用いる場合と比べて、加工コストや調整箇所を減らすことができ、より安価に簡易に生産することができる。
【００４３】
さらに、本実施形態に係る吸収性物品１によれば、吸収層７の裏面シート３側において形成された圧縮領域５によって薄くなった吸収層７の領域内に圧搾溝６を形成することができるため、圧搾溝６の形成及び保持を正確且つ容易にすることができる。
【００４４】
また、本実施形態に係る吸収性物品１によれば、吸収層７に圧縮領域５を形成した後に圧搾溝６を形成するように構成されており、吸収層７において圧縮領域５が設けられていない場合と比べて繊維密度が大きい状態で圧搾溝６が形成されるため、圧搾溝６の底面６Ａにおいて、より密な状態で表面シート２を溶融固化することができ、圧搾溝６の底面６Ａの圧着強度を強くすることができる。その結果、圧搾溝６の底面６Ａにおける表面シート２の破れを低減させることができ、圧搾溝６の底面からの高吸収性ポリマーこぼれを減少させることができる。
【００４５】
また、本実施形態に係る吸収性物品１によれば、圧縮領域５の外周に沿って非圧縮領域１０が設けられているため、体液の圧縮領域５の外側への拡散を抑制することができる。すなわち、吸収層７の端部まで体液が達するのを遅らすことができる。
【００４６】
（変更例１）
図５及び図６を参照して、本発明の変更例１に係る吸収性物品１について説明する。以下、本変更例１に係る吸収性物品１について、上述の第１の実施形態に係る吸収性物品１との相違点に着目して説明する。
【００４７】
図５及び図６に示すように、本変更例１に係る吸収性物品１では、圧縮領域５は、吸収層７の裏面シート３側の面の一部、例えば、体液を拡散させたい領域に渡って形成されていてもよい。
【００４８】
例えば、図５及び図６に示すように、本変更例１に係る吸収性物品１では、圧縮領域５は、吸収層７の裏面シート３側の面の中央領域では形成されていない。そのため、吸収層７の外側領域に体液を拡散しやすくなり、無駄なく吸収層７の全体を使うことができる。
また、図５及び図６に示すように、本変更例１に係る吸収性物品１では、上述の第１の実施形態に係る吸収性物品１で設けられていた圧縮領域５の外周に沿った非圧縮領域１０が設けられていない。
【００４９】
（変更例２）
図７を参照して、本発明の変更例２に係る吸収性物品１について説明する。以下、本変更例２に係る吸収性物品１について、上述の本実施形態に係る吸収性物品１との相違点に着目して説明する。
【００５０】
図７に示すように、本変更例２に係る吸収性物品１では、圧搾溝６の底面６Ａは、圧縮領域５の底面５Ａまで達しないように配置されている。なお、圧搾溝６の底面６Ａは、圧縮領域５の底面５Ａまで達するように配置されていてもよい。
【００５１】
（変更例３）
図８を参照して、本発明の変更例３に係る吸収性物品１について説明する。以下、本変更例３に係る吸収性物品１について、上述の本実施形態に係る吸収性物品１との相違点に着目して説明する。
【００５２】
図８に示すように、本変更例３に係る吸収性物品１では、圧縮領域５の外縁近傍に、外縁部１１が形成されている。
【００５３】
ここで、図８に示すように、外縁部１１の底面１１Ａは、圧縮領域５の底面５Ａよりも表面シート２側に配置されている。
【００５４】
このような構成によれば、吸収層７の端部に至る手前の外縁部１１によって、吸収層７の外方向への体液の拡散を抑制し、外縁部１１に沿った周方向へ体液の拡散を導くことができる。
【００５５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００５６】
１…吸収性物品
２…表面シート
３…裏面シート
５…圧縮領域
６…圧搾溝
７…吸収層
９…液拡散性シート
１０…非圧縮領域
１１…外縁部
【図１】
2011177306.tif 000004
【図２】
2011177306.tif 000005
【図３】
2011177306.tif 000006
【図４】
2011177306.tif 000007
【図５】
2011177306.tif 000008
【図６】
2011177306.tif 000009
【図７】
2011177306.tif 000010
【図８】
2011177306.tif 000011